Podtech/llm-jp-corpus-v4-ja_patent huggingface dataset:
【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
少なくとも１つの皮膚特性測定装置を有する、ユーザの電子装置に取り付けるための皮膚分析装置であって、
前記電子装置に取り外し可能に接続されるように構成されたエンクロージャ本体を含むエンクロージャと、
前記エンクロージャに接続され、１つ以上の皮膚特性測定装置が前記ユーザの皮膚特性の皮膚特性サンプルを撮影するのを支援するように構成された１つ以上の受動的皮膚特性測定アシストとを含む、皮膚分析装置。
【請求項２】
前記１少なくとも１つの皮膚特性測定装置はカメラであり、前記１つ以上の受動的皮膚特性測定アシストは光源アセンブリを含み、前記光源アセンブリは、
前記カメラが前記ユーザの画像をとらえるときに、前記ユーザを照らす１つ以上の個別に制御可能な光源をその上に有する光源板と、
拡散板を通過する１つ以上の光源を拡散させる前記拡散板であって、前記光源板は光源が拡散されずにそこを通過することを可能にする、その中に位置する１つ以上の光源開口部を含む、拡散版と、
第１の光源が前記光源開口部を通過せずに前記拡散板によって拡散されるように前記光源板上に配置された、前記第１の光源を提供する第１の光源のセットとを含む、請求項１に記載の皮膚分析装置。
【請求項３】
前記光源アセンブリは、第２の光源が拡散しないで前記光源開口部を通過するように、前記光源板上に配置された、前記第２の光源を提供する第２の光源のセットをさらに含む、請求項２に記載の皮膚分析装置。
【請求項４】
前記第１の光源のセットは、発光ダイオードの光を提供する発光ダイオードの光であり、前記第２の光源のセットは、紫外線光を提供する紫外線光である、請求項３に記載の皮膚分析装置。
【請求項５】
前記エンクロージャに接続され、前記１つ以上の皮膚特性測定装置が前記ユーザの皮膚特性の皮膚特性サンプルを撮影するのを支援するように構成された、１つ以上の能動的皮膚特性測定アシストと、
前記電子装置および前記１つ以上の能動皮膚特性測定アシストと通信する、皮膚分析装置プロセッサであって、
前記電子装置から信号を受信してサンプルを受け取り、
前記１つ以上の皮膚特性測定アシストを制御して、前記１つ以上の皮膚特性測定装置が皮膚特性サンプルを撮影するのを支援するように構成された、皮膚分析装置プロセッサとをさらに備える、請求項１に記載の皮膚分析装置。
【請求項６】
前記エンクロージャに接続され、前記ユーザの皮膚特性の第２の皮膚特性サンプルを撮影するように構成された、第２の皮膚特性測定装置と、
前記電子装置および前記第２の皮膚特性測定装置と通信する皮膚分析装置プロセッサであって、前記皮膚分析装置プロセッサが、
前記第２の皮膚特性測定装置から第２の皮膚特性サンプルを取得し、
前記第２の皮膚特性サンプルを前記電子装置に提供するよう構成された、皮膚分析装置プロセッサとをさらに備える、請求項１に記載の皮膚分析装置。
【請求項７】
前記皮膚分析装置プロセッサは、
前記電子装置から信号を受信するサンプルを受け取り、
前記第２の皮膚特性測定装置を制御して、前記第２の皮膚特性サンプルを撮影するようさらに構成された、請求項６に記載の皮膚分析装置。
【請求項８】
前記第２の皮膚特性測定装置は水分センサを備える、請求項７に記載の皮膚分析装置。
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
コンピュータによって実現される方法であって、
オブジェクトの一組の基準点を識別することを備え、前記基準点はカメラが捕捉する画像内に追跡され、前記方法はさらに、
前記基準点のベクトルの場を作成することを備え、前記ベクトルは、前記画像の２つ以上のフレームにわたる前記基準点の位置の変化の大きさおよび方向を示し、前記方法はさらに、
前記ベクトルの同一の放射状の向きから、前記基準点の面外の動きの存在を識別することと、
複数の前記基準点同士の間の距離の変化から、前記基準点が前記カメラに近づいた／前記カメラから遠ざかった量を求めることと、
前記カメラの焦点を前記オブジェクトに合わせ続けるように、前記オブジェクトの基準点が近づいた／遠ざかった前記量に鑑みて前記カメラの焦点を調整することとを備える、方法。
【請求項２】
前記放射状の向きは外向きであり、前記面外の動きは前記カメラに向かう、請求項１に記載の方法。
【請求項３】
前記放射状の向きは内向きであり、前記面外の動きは前記カメラから離れる、請求項１に記載の方法。
【請求項４】
同一の放射状の向きを有する前記ベクトルは、前記オブジェクトの周辺の前記基準点のベクトルを含む、請求項１〜３のいずれか１項に記載の方法。
【請求項５】
前記方法はさらに、前記オブジェクトの輪郭上に前記ベクトルの正味の発散がないことから、オブジェクトの面内の動きを認識することを備える、請求項１〜４のいずれか１項に記載の方法。
【請求項６】
前記近づいた／遠ざかった量を求めることは、複数の前記基準点から形成される三角形の辺の変化を測定することを含む、請求項１〜５のいずれか１項に記載の方法。
【請求項７】
複数の前記基準点は前記オブジェクトの前記周辺の内部に位置する、請求項１〜６のいずれか１項に記載の方法。
【請求項８】
プロセッサによって実行されると、前記プロセッサに、請求項１〜７のいずれか１項に記載の方法を実施させる、プログラム。
【請求項９】
装置であって、
画像センサと、
前記画像センサと関連付けられた少なくとも１つのレンズを含むレンズアセンブリと、
前記レンズアセンブリに結合されたモータと、
前記モータに結合されたプロセッサと、
前記プロセッサに結合されたメモリとを備え、前記メモリは前記プロセッサが実行するプログラムコード命令を格納し、前記プログラムコード命令が前記プロセッサによって実行されると方法が行なわれ、前記方法では、前記レンズアセンブリによる前記画像センサ上への焦点が前記方法の制御下で前記モータの動作によって調整され、前記方法は、
オブジェクトの一組の基準点を識別することを備え、前記基準点は前記画像センサが捕捉する画像内に追跡され、前記方法はさらに、
前記基準点のベクトルの場を作成することを備え、前記ベクトルは、前記画像の２つ以上のフレームにわたる前記基準点の位置の変化の大きさおよび方向を示し、前記方法はさらに、
前記ベクトルの同一の放射状の向きから、前記オブジェクトの基準点の面外の動きの存在を識別することと、
複数の前記基準点同士の間の距離の変化から、前記オブジェクトの基準点が前記レンズアセンブリに近づいた／前記レンズアセンブリから遠ざかった量を求めることと、
前記モータを駆動して、前記オブジェクトの基準点が近づいた／遠ざかった前記量に鑑みて前記焦点を調整することとを備える、装置。
【請求項１０】
前記放射状の向きは外向きであり、前記面外の動きは前記レンズアセンブリに向かう、請求項９に記載の装置。
【請求項１１】
前記放射状の向きは内向きであり、前記面外の動きは前記レンズアセンブリから離れる、請求項９に記載の装置。
【請求項１２】
同一の放射状の向きを有する前記ベクトルは、前記オブジェクトの周辺の前記基準点のベクトルを含む、請求項９〜１１のいずれか１項に記載の装置。
【請求項１３】
前記方法はさらに、前記オブジェクトの輪郭上に前記ベクトルの正味の発散がないことから、オブジェクトの面内の動きを認識することを備える、請求項９〜１２のいずれか１項に記載の装置。
【請求項１４】
複数の前記基準点は前記オブジェクトの前記周辺の内部に位置する、請求項９〜１３のいずれか１項に記載の装置。
【請求項１５】
前記レンズアセンブリは焦点レンズを含み、前記モータは前記焦点レンズを動かして前記焦点を調整する、請求項９〜１４のいずれか１項に記載の装置。
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
安息香酸リチウム化合物と共形成剤の共結晶であって、ここで、前記共形成剤が、式（I）の化合物:
【化１】
2019518757.tif 000001
（式中、
Lが、アルキル、カルボシクリル、C=C、C=C-C=C、C≡C、又は非存在であり;
Aが、アルキル、カルボシクリル、アリール、又はヘテロアリールであり; 及び
X=O又はN-Bであり、ここでBが、H、アルキル、カルボシクリル、アリール、又はヘテロアリールである）
から選択される、共結晶。
【請求項２】
前記安息香酸リチウム化合物及び前記共形成剤が、1:10〜10:1の分子比率の範囲で前記共結晶中に存在する、請求項1に記載の共結晶。
【請求項３】
Lが、C=C又はC=C-C=Cであり、及びAが、C1-C6アルキル、アリール、又はヘテロアリールである、請求項1又は2に記載の共結晶。
【請求項４】
Lが、C=C-C=Cであり、Aが、メチルであり、及びXが、Oである、請求項3に記載の共結晶。
【請求項５】
前記安息香酸リチウム化合物及び前記共形成剤が、1:2の分子比率で前記共結晶中に存在する、請求項4に記載の共結晶。
【請求項６】
前記共結晶が、以下;
【表１】
2019518757.tif 000002
に実質的に示される粉末X線回析パターンを有する、請求項5に記載の共結晶。
【請求項７】
Lが、C=Cであり、Aが、フェニルであり、及びXが、Oである、請求項3に記載の共結晶。
【請求項８】
前記安息香酸リチウム化合物及び前記共形成剤が、1:1の分子比率で前記共結晶中に存在する、請求項7に記載の共結晶。
【請求項９】
前記共結晶が、以下;
【表２】
2019518757.tif 000003
に実質的に示される粉末X線回析パターン、及び約188℃の融点に相当する吸熱ピークを有する、請求項8に記載の共結晶。
【請求項１０】
Lが、不存在であり、Aが、ピリジルであり、及びXが、Oである、請求項3に記載の共結晶。
【請求項１１】
前記安息香酸リチウム化合物及び前記共形成剤が、1:1の分子比率で前記共結晶中に存在する、請求項10に記載の共結晶。
【請求項１２】
前記共結晶が、以下;
【表３】
2019518757.tif 000004
に実質的に示される粉末X線回析パターン、及び約161℃の融点に相当する吸熱ピークを有する、請求項11に記載の共結晶。
【請求項１３】
有効量の請求項1〜12の何れか1項に記載の共結晶及び担体を含む、組成物。
【請求項１４】
前記組成物が、医薬組成物、栄養補助組成物、健康食品、又は医療用食品である、請求項13に記載の組成物。
【請求項１５】
治療有効量の請求項1〜12の何れか1項に記載の共結晶を含み、対象の精神神経疾患を治療する又はそのリスクを低減させる、請求項13又は14に記載の組成物。
【請求項１６】
前記精神神経疾患が、統合失調症、精神障害、アルツハイマー病、認知症、軽度認知障害、良性健忘症、閉鎖性頭部外傷、自閉症スペクトル障害、アスペルガー症候群、注意欠陥・多動性障害、強迫性障害、チック症、幼年期学習障害、月経前症候群、うつ病、双極性障害、不安症、心的外傷後ストレス障害、慢性疼痛、摂食障害、依存症、パーソナリティ障害、パーキンソン病、ハンチントン病及び筋萎縮性側索硬化症、からなる群から選択される、請求項15に記載の組成物。
【請求項１７】
共結晶を調製する方法であって、当該方法が、
（i）約40〜110℃の温度で、前記安息香酸リチウム化合物及び前記共形成剤を溶媒中で混合し、飽和溶液を形成する工程、ここで、前記安息香酸リチウム化合物及び前記共形成剤が、1:10〜10:1のモル比率であり;
（ii）約70〜150℃の温度で前記溶液を加熱及び撹拌し、前記共結晶を形成させる工程; 及び
（ii）で形成された前記共結晶を回収する工程、
を含む、請求項1〜12の何れか1項に記載の共結晶の調製方法。
【請求項１８】
工程（i）が、前記安息香酸リチウム化合物及び前記共形成剤に前記溶媒を滴下し、形成された混合物を撹拌することによって行われ、そのような方法で前記安息香酸リチウム化合物及び前記共形成剤を前記溶媒中に溶解させる、請求項17に記載の方法。
【請求項１９】
請求項1〜12の何れか1項に記載の共結晶を提供する工程、
（i）約35〜110℃の範囲の温度で、前記共結晶を溶媒に溶解して溶液を形成する工程;
（ii）前記溶液を約40〜110℃の温度で第1の期間撹拌し、前記共結晶を形成させる工程; ここで、前記第1の期間は、約1〜10日であり; 及び
前記共結晶を回収する工程、
を含む、請求項1〜12の何れか1項に記載の共結晶の調製方法。
【請求項２０】
工程（iii）に続いて、前記溶液を約40〜110℃の温度で第2の期間撹拌することをさらに含み、ここで、第2の期間は、約1〜10日である、
請求項19に記載の方法。
【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
細胞老化に関連する疾患又は障害を治療又は予防するための薬剤の製造のための、ＡＧＥ抗原の使用。
【請求項２】
疾患又は障害が、サルコペニア、炎症、白内障の発病、脂肪組織の喪失の発病、脊椎湾曲の発病、自己免疫障害、アテローム性動脈硬化症、神経変性障害、がん、及びがん転移からなる群から選択される、請求項１に記載の使用。
【請求項３】
薬剤が、
（ａ）ＡＧＥ抗原、
（ｂ）アジュバント、
（ｃ）任意に保存剤、及び
（ｄ）任意に賦形剤
を含む、請求項１又は２に記載の使用。
【請求項４】
ＡＧＥ抗原が、カルボキシメチルリジン−修飾型タンパク質又はペプチドを含む、請求項１〜３のいずれかに記載の使用。
【請求項５】
ＡＧＥ抗原が、ＡＧＥ−ＲＮＡｓｅ、ＡＧＥ−ヒトヘモグロビン、ＡＧＥ−ヒト血清アルブミン、ＡＧＥ−低密度リポタンパク質、ＡＧＥ−コラーゲンIV、ＡＧＥ−抗トロンビンIII、ＡＧＥ−カルモジュリン、ＡＧＥ−インスリン、ＡＧＥ−セルロプラスミン、ＡＧＥ−コラーゲン、ＡＧＥ−カテプシンＢ、ＡＧＥ−アルブミン、ＡＧＥ−クリスタリン、ＡＧＥ−プラスミノーゲン活性化因子、ＡＧＥ−内皮原形質膜タンパク質、ＡＧＥ−アルデヒド還元酵素、ＡＧＥ−トランスフェリン、ＡＧＥ−フィブリン、ＡＧＥ−銅／亜鉛ＳＯＤ、ＡＧＥ−アポＢ、ＡＧＥ−フィブロネクチン、ＡＧＥ−膵臓リボース、ＡＧＥ−アポＡ−Ｉ及びII、ＡＧＥ−ヘモグロビン、ＡＧＥ−Ｎａ＋／Ｋ＋−ＡＴＰａｓｅ、ＡＧＥ−プラスミノーゲン、ＡＧＥ−ミエリン、ＡＧＥ−リゾチーム、ＡＧＥ−免疫グロブリン、ＡＧＥ−赤血球Ｇｌｕ輸送タンパク質、ＡＧＥ−β−Ｎ−アセチルヘキソキナーゼ、ＡＧＥ−アポＥ、ＡＧＥ−赤血球膜タンパク質、ＡＧＥ−アルドース還元酵素、ＡＧＥ−フェリチン、ＡＧＥ−赤血球スペクトリン、ＡＧＥ−アルコールデヒドロゲナーゼ、ＡＧＥ−ハプトグロビン、ＡＧＥ−チューブリン、ＡＧＥ−甲状腺ホルモン、ＡＧＥ−フィブリノーゲン、ＡＧＥ−β２−ミクログロブリン、ＡＧＥ−ソルビトールデヒドロゲナーゼ、ＡＧＥ−α１−アンチトリプシン、ＡＧＥ−炭酸デヒドラターゼ、ＡＧＥ−ヘキソキナーゼ、ＡＧＥ−アポＣ−Ｉ、並びにそれらの混合物からなる群から選択されるＡＧＥ修飾型タンパク質又はペプチドを含む、請求項１〜４のいずれかに記載の使用。
【請求項６】
ＡＧＥ抗原が、キーホールリンペットヘモシアニン、血清アルブミン、ウシサイログロブリン、コレラ毒素、易熱性エンテロトキシン、及び大豆トリプシン阻害剤からなる群から選択される担体タンパク質にコンジュゲートしている、請求項１〜５のいずれかに記載の使用。
【請求項７】
細胞老化に関連する疾患又は障害の治療又は予防において使用するための、ＡＧＥ抗原を含む組成物。
【請求項８】
サルコペニア、アテローム性動脈硬化症、白内障の発病、脂肪組織の喪失の発病、脊椎湾曲の発病、炎症、自己免疫障害、神経変性障害、がん、及びがん転移からなる群から選択される疾患又は障害の治療において使用するための、ＡＧＥ抗原を含む組成物。
【請求項９】
（ａ）組織又は器官の再生の促進；又は
（ｂ）再生プロセスの促進又は加齢の影響の克服；又は
（ｃ）健康寿命の増大
において使用するための、ＡＧＥ抗原を含む組成物。
【請求項１０】
ワクチンである、請求項７〜９のいずれかに記載の組成物。
【請求項１１】
ワクチンが、
（ａ）ＡＧＥ抗原、
（ｂ）アジュバント、
（ｃ）任意に保存剤、及び
（ｄ）任意に賦形剤
を含む、請求項１０に記載の組成物。
【請求項１２】
ＡＧＥ抗原が、カルボキシメチルリジン−修飾型タンパク質又はペプチドを含む、請求項７〜１１のいずれかに記載の組成物。
【請求項１３】
単位投与形態である、請求項７〜１２のいずれかに記載の組成物。
【請求項１４】
治療が、ワクチンを、ＡＧＥ修飾型タンパク質又はペプチドを発現している細胞に対する抗体を免疫系に産生させるために有効な量で対象に投与することを含む、請求項７、８、及び１０〜１３のいずれかに記載の組成物。
【請求項１５】
ＡＧＥ抗原が、キーホールリンペットヘモシアニン、血清アルブミン、ウシサイログロブリン、コレラ毒素、易熱性エンテロトキシン、及び大豆トリプシン阻害剤からなる群から選択される担体タンパク質にコンジュゲートしている、請求項７〜１４のいずれかに記載の組成物。
【誤訳訂正書】
【提出日】平成31年3月22日(2019.3.22)
【誤訳訂正１】
【訂正対象書類名】特許請求の範囲
【訂正対象項目名】全文
【訂正方法】変更
【訂正の内容】
【特許請求の範囲】
【請求項１】
１−シアノ−２−（４−シクロプロピル−ベンジル）−４−（β−Ｄ−グルコピラノース−１−イル）−ベンゼンと一種以上の天然アミノ酸の複合体の結晶であって、
前記天然アミノ酸がＬ−プロリンであり、
前記複合体が、１−シアノ−２−（４−シクロプロピル−ベンジル）−４−（β−Ｄ−グルコピラノース−１−イル）−ベンゼンとＬ−プロリンとの複合体（１：１）であり、
前記結晶が水を含む、結晶。
【請求項２】
１−シアノ−２−（４−シクロプロピル−ベンジル）−４−（β−Ｄ−グルコピラノース−１−イル）−ベンゼン及びＬ−プロリンの複合体と、前記水との間のモル比が、１：１であることを特徴とする請求項１記載の結晶。
【請求項３】
１７．６１、１７．７７、２０．２８、２１．１４、２１．６４、及び２７．６６度２θ（±０．１度２θ）におけるピークを含むＸ線粉末回折パターン（前記Ｘ線粉末回折パターンはＣｕＫα1放射線を使用してつくられる）を特徴とする請求項１又は２記載の結晶。
【請求項４】
Ｘ線粉末回折パターンが４．９９及び２３．２３度２θ（±０．１度２θ）におけるピークを更に含み、前記Ｘ線粉末回折パターンがＣｕＫα1放射線を使用してつくられる、請求項３記載の結晶。
【請求項５】
少なくとも５０質量％の請求項３又は４記載の結晶と、他の結晶とを含有する、混合物。
【請求項６】
請求項１から４のいずれかに記載の結晶、又は請求項５に記載の混合物を含むことを特徴とする医薬組成物。
【請求項７】
ナトリウム依存性グルコース共輸送体ＳＧＬＴを阻害することにより影響され得る疾患又は症状の治療又は予防における使用のための請求項６に記載の医薬組成物。
【請求項８】
ナトリウム依存性グルコース共輸送体ＳＧＬＴ２の阻害における使用のための請求項６に記載の医薬組成物。
【請求項９】
請求項１から４のいずれかに記載の結晶の製造方法であって、
前記方法が下記の工程：
（ａ）溶媒又は溶媒の混合物中の１−シアノ−２−（４−シクロプロピル−ベンジル）−４−（β−Ｄ−グルコピラノース−１−イル）−ベンゼン及びＬ−プロリンの溶液を調製する工程；
（ｂ）その溶液を貯蔵して結晶を溶液から沈澱させる工程；
（ｃ）沈澱をその溶液から除去する工程；及び
（ｄ）必要により過剰の前記溶媒又は溶媒の混合物が除去されるまで沈澱を乾燥させる工程を含み、
前記溶媒が、エタノール、イソプロパノール及び水からなる群から選択される、ことを特徴とする前記方法。
【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
各サウンドオブジェクトが複数のチャネルに存在する１つまたは複数のサウンドオブジェクトからなるマルチチャネルオーディオ信号を再生する装置（１０）であって、
所定の聴取ゾーン（１６）の前方の第１の円弧（１４）の周りに離間して設けられた複数の第１のスピーカ（１２）であって、前記第１のスピーカ（１２）の各々は前記聴取ゾーン（１６）に面し、実質的にそこから等距離である、第１のスピーカ（１２）と
前記聴取ゾーン（１６）の後方の第２の円弧（２０）の周りに離間して配置された複数の第２のスピーカ（１８）であって、前記第２のスピーカ（１８）の各々は前記聴取ゾーン（１６）に面する、第２のスピーカ（１８）と
前記オーディオ信号の各チャネルから増幅された信号を生成するように構成された増幅器（２８）であって、増幅された信号の各々は対応する第１または第２のスピーカ（１２、１８）に供給される増幅器（２８）と、を含み、
それにより使用中、前記装置（１０）から離間した地点でのＳＰＬは前記聴取ゾーン（１６）でのＳＰＬより小さくなるように各サウンドオブジェクトは１つまたは複数のスピーカ（１２、１８）によって再生される、装置（１０）。
【請求項２】
第１のスピーカ（１２）の各々が前記聴取ゾーン（１６）から離間しているのと同じ距離だけ前記装置（１０）から離間した地点の前記ＳＰＬは、前記聴取ゾーン（１６）の前記ＳＰＬよりも１５ｄＢ小さい、請求項１に記載の装置。
【請求項３】
第１および第２のスピーカ（１２、１８）の数は少なくとも１３であり、第１のスピーカ（１２）の前記数は第２のスピーカ（１８）の前記数よりも多い、請求項２に記載の装置。
【請求項４】
前記複数の第２のスピーカ（１８）は前記第１のスピーカ（１２）よりも前記聴取ゾーン（１６）の近くに設けられる、請求項３に記載の装置。
【請求項５】
前記装置（１０）は前記聴取ゾーン（１６）の後方に設けられたエンクロージャ（２６）をさらに備え、前記増幅器（２８）および第２のスピーカ（１８）は、前記エンクロージャ（２６）内に収容される、請求項１に記載の装置。
【請求項６】
前記装置（１０）は前記エンクロージャ（２６）内に収容されたサブウーファ（２４）
をさらに備える、請求項５に記載の装置。
【請求項７】
第１のスピーカ（１２）の各々は対応するエンクロージャ（３２）内に設けられ、隣接する第１のスピーカ（１２）の前記エンクロージャ（３２）は互いに接続されて連続する円弧を形成する、請求項１に記載の装置。
【請求項８】
前記マルチチャネルオーディオ信号は請求項５から請求項７のいずれか１項に記載の前記装置によって生成される、請求項３に記載の装置。
【請求項９】
１つまたは複数のサウンドオブジェクト信号からマルチチャネルオーディオ信号を生成する方法であって、
各サウンドオブジェクト信号に対して、複数の無相関幅信号を生成することであって、前記幅信号の前記振幅は実質的なガウス分布に従う、生成することと、
複数のパン信号を生成するために前記複数の幅信号を処理することであって、各パン信号は少なくとも１つのチャネルにマップされる、処理することと、
前記オーディオ信号の各チャネルに対して、そのチャネルの各サウンドオブジェクトからの前記パン信号を組み合わせることとを含む、方法。
【請求項１０】
各幅信号の位相を無相関化する前記ステップは各幅信号に異なる位相オフセットを加え、各幅信号の前記位相オフセットを周期Ｔで変更することを含む、請求項９に記載の方法。
【請求項１１】
前記実質的なガウス分布はユーザが設定可能な標準偏差に従う、請求項９に記載の方法。
【請求項１２】
前記ユーザ設定可能な標準偏差は、各サウンドオブジェクト信号に対して設定可能である、請求項１１に記載の方法。
【請求項１３】
前記幅信号の合計の前記振幅が前記サウンドオブジェクト信号の前記振幅に等しくなるように、前記幅信号の前記振幅を正規化するステップをさらに含む、請求項１１に記載の方法。
【請求項１４】
各サウンドオブジェクト信号を処理して深度補正信号を生成し、前記深度補正信号から前記複数の幅信号を生成することをさらに含む、請求項９に記載の方法。
【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
サイトメガロウィルスチキンベータアクチンハイブリッドプロモーターまたはヒトユビキチンcプロモーターである転写開始配列、
前記転写開始配列の下流に配置された、配列番号12、配列番号13、配列番号15、配列番号7のcDNA、配列番号14のcDNA、または少なくとも95％の配列相同性を有するヌクレオチド配列である、UBE3A配列、
前記転写開始配列の下流に配置された、配列番号2、配列番号8、配列番号9、配列番号10、配列番号3のcDNA、または少なくとも80％の配列相同性を有するヌクレオチド配列である、分泌配列、および、
前記転写開始配列の下流に配置された、配列番号4、配列番号11、配列番号5のcDNA、または少なくとも80％の配列相同性を有するヌクレオチド配列である、細胞取り込み配列、
を含むUBE3Aベクター。
【請求項２】
前記転写開始配列の上流に配置されたサイトメガロウイルス最初期エンハンサー配列をさらに含むことを特徴とする、請求項１に記載のベクター。
【請求項３】
前記UBE3A配列の下流に配置されたウッドチャック肝炎転写後調節エレメントをさらに含むことを特徴とする、請求項１に記載のベクター。
【請求項４】
前記分泌配列は、前記UBE3A配列の上流に配置されていることを特徴とする、請求項１に記載のベクター。
【請求項５】
前記細胞取り込み配列は、前記UBE3A配列の上流で前記分泌配列の下流に配置されていることを特徴とする、請求項１に記載のベクター。
【請求項６】
転写開始配列を有する骨格プラスミドを用意することと、ここで、前記転写開始配列はサイトメガロウィルスチキンベータアクチンハイブリッドプロモーターまたはヒトユビキチンcプロモーターであり、
UBE3Aコンストラクトを作成することと、
前記UBE3Aコンストラクトを前記転写開始配列の下流に挿入することとを含み、
前記UBE3Aコンストラクトを作成することは、さらに、
配列番号12、配列番号13、配列番号15、配列番号7のcDNA、配列番号14のcDNA、または少なくとも95％の配列相同性を有するヌクレオチド配列である、UBE3A配列を用意することと、
配列番号2、配列番号8、配列番号9、配列番号10、配列番号3のcDNA、または少なくとも80％の配列相同性を有するヌクレオチド配列である、分泌配列を前記UBE3A配列に付加することと、
配列番号4、配列番号11、配列番号5のcDNA、または少なくとも80％の配列相同性を有するヌクレオチド配列である、細胞取り込み配列を前記UBE3A配列に付加することとを含む、
UBE3Aベクターの合成方法。
【請求項７】
前記ベクターを増幅宿主に挿入することと、
前記増幅宿主を抗生物質選択に晒すことと、ここで、前記骨格プラスミドは抗生物質耐性遺伝子を有し、
前記増幅宿主を、抗生物質選択を含む培地中で増殖させることと、
増殖した前記増幅宿主を回収することと、
前記ベクターを前記増幅宿主から単離することと、をさらに含むことを特徴とする、請求項６に記載の方法。
【請求項８】
前記抗生物質耐性遺伝子は、アンピシリン耐性遺伝子であり、前記抗生物質選択は、アンピシリン選択であることを特徴とする、請求項７に記載の方法。
【請求項９】
UBE3A欠損疾患の治療のための請求項１乃至５のいずれか一項に記載のUBE3Aベクターの使用であって、
前記UBE3A欠損疾患は、アンジェルマン症候群、プラダ―・ウィリー症候群またはハンチントン病であることを特徴とする使用。
【請求項１０】
前記請求項１乃至５のいずれか一項に記載のUBE3Aベクターを脳に注射することを含むことを特徴とする、請求項９に記載の使用。
【請求項１１】
前記請求項１乃至５のいずれか一項に記載のUBE3Aベクターが、5.55×1011 から2.86×1012ゲノム/g脳質量、2.86×1012ゲノム/g脳質量、2.40×1012ゲノム/g脳質量、9.80×1011ゲノム/g脳質量または5.55×1011ゲノム/g脳質量で投与されることを特徴とする、請求項９に記載の使用。
【請求項１２】
前記UBE3Aベクターは、
前記転写開始配列の上流に配置されたサイトメガロウイルス最初期エンハンサー配列、
前記UBE3A配列の下流に配置されたウッドチャック肝炎転写後調節エレメント、
をさらに含み、
前記UBE3A配列は、配列番号12、配列番号13、または配列番号15、または少なくとも95％の配列相同性を有するヌクレオチド配列であり、
前記細胞取り込み配列は、前記UBE3A配列の上流で前記転写開始配列の下流に配置され、前記細胞取り込み配列は、配列番号4、配列番号11、または少なくとも80％の配列相同性を有するヌクレオチド配列であり、
前記分泌配列は、前記UBE3A配列の下流に配置され、前記分泌配列は、配列番号2、配列番号8、配列番号9、配列番号10、または少なくとも80％の配列相同性を有するヌクレオチド配列である
ことを特徴とする、請求項1に記載のベクター。
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
ＣＤ５６／Ｐａｘ３、ＣＤ５６／Ｐａｘ７、またはＰａｘ３／Ｐａｘ７を発現する細胞を生成する方法であって、前記方法が、ｉｎ  ｖｉｔｒｏ培養物中の多能性幹細胞を提供することと、前記ｉｎ  ｖｉｔｒｏ培養物中の前記多能性幹細胞を、１つの化合物、または２つもしくはそれ超の化合物と同時に接触させることとを含み、前記ｉｎ  ｖｉｔｒｏ培養物中の前記多能性幹細胞を、前記１つの化合物、または前記２つもしくはそれ超の化合物と同時に前記接触させることが、ＣＤ５６／Ｐａｘ３、ＣＤ５６／Ｐａｘ７、またはＰａｘ３／Ｐａｘ７を発現する細胞の発生を直接もたらす、方法。
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
同じ蛋白修飾酵素のモジュレーターによって同じように影響を受け、したがってモジュレーターによって影響を受ける蛋白修飾酵素の活性を示す修飾部位のデータセットを作成する生体外の方法であって、タンパク質修飾酵素の第１のモジュレーターで処理された第１のサンプルからの修飾されたペプチド上の修飾部位、および同じタンパク質修飾酵素の第２のモジュレーターで処理された第２のサンプルからの修飾されたペプチド上の修飾部位を、質量分析（ＭＳ）を使用して定量および／または同定すること；および
タンパク質修飾酵素の第１のモジュレーターで処理された第１のサンプルからの修飾されたペプチド上の修飾部位、および同じタンパク質修飾酵素の第２のモジュレーターで処理された第２のサンプルからの修飾されたペプチド上の修飾部位を、該修飾部位上の該蛋白修飾酵素の第１と第２モジュレーターの効果にしたがって単一のグループに、グループ化することを含み、
ここで、第１のサンプルからの修飾されたペプチドの修飾部位、および第２のサンプルからの修飾されたペプチドの修飾部位は、蛋白修飾酵素の第１と第２のモジュレーターによって同じように影響されることに基づいて単一のグループにグループ化され、
該蛋白修飾酵素の第１と第２のモジュレーターが異なる、方法。
【請求項２】
燐酸化部位、アセチル化部位、グリコシル化部位、メチル化部位および脂質化部位から成るグループから前記修飾部位が選ばれることを特徴とする請求項１に記載の方法。
【請求項３】
第１のサンプルおよび第２のサンプルは、癌細胞株からの細胞であるか、またはこれを含んでいることを特徴とする、請求項１または２に記載の方法。
【請求項４】
蛋白質燐酸化酵素、プロテインフォスファターゼ、タンパク質グリコシルトランスフェラーゼ、タンパク質アセチルトランスフェラーゼ、蛋白質メチルトランスフェラーゼおよびタンパク質パルミトイルトランスフェラーゼから成るグループから前記タンパク質修飾酵素が選ばれることを特徴とする、請求項１から３のいずれか１項記載の方法。
【請求項５】
修飾部位をグループ化する前、および修飾部位を定量および／または同定する前に、第１のサンプルを第１のタンパク質修飾酵素のモジュレーターで処理し、第２のサンプルを第２のタンパク質修飾酵素のモジュレーターで処理することを特徴とする、請求項１から４のいずれか１項記載の方法。
【請求項６】
タンパク質修飾酵素の前記モジュレーターは、
（ａ）  小分子、ＲＮＡｉ、治療用ペプチドまたは抗体、および／または、
（ｂ）  タンパク質修飾酵素の阻害剤であることを特徴とする請求項１から５のいずれか１項記載の方法。
【請求項７】
タンパク質修飾酵素の前記阻害剤はキナーゼ阻害剤であることを特徴とする請求項６に記載の方法。
【請求項８】
前記キナーゼ阻害剤はＡｋｔ、ＣＡＭＫ２、ＥＧＦＲ、ＥＲＫ、ＭＥＫ、ｍＴＯＲ、ｐ７０Ｓ６Ｋ、ＰＩ３Ｋ、ＰＫＣおよびＲＯＣＫから成るグループから選ばれたキナーゼの阻害剤であることを特徴とする請求項７に記載の方法。
【請求項９】
前記修飾部位上の前記タンパク質修飾酵素の第１および第２のモジュレーターの効果は、対照サンプルと比較した、該修飾部位のアバンダンスの低下または増加である、請求項１から８のいずれか１項記載の方法。
【請求項１０】
請求項１から９のいずれか１項記載の方法により修飾部位のデータセットを作成すること、および該データセットをデータベースの中へコンパイルすることを含む、データベースを作成する方法。
【請求項１１】
前記データベースが、修飾部位を含むタンパク質の同一性、修飾のタイプ、修飾部位が存在するサンプルのタイプ、および／または修飾部位で修飾を増加させるか減少させるモジュレーターについての情報を含む、請求項１０記載の方法。
【請求項１２】
以下を含む疾病の診断方法のための生体外の方法：
（ａ）  以下により修飾部位のテスト・データセットを作成すること：
ｉ．  タンパク質修飾酵素の１つ以上のモジュレーターで被検者からの１つ以上の試験サンプルを処理すること、
ｉｉ．  １つ以上の試験サンプル中の修飾ペプチド上の修飾部位を定量および／または同定すること、
ｉｉｉ．  １つ以上の試験サンプルからの修飾ペプチド上の修飾部位を単一のグループへグループ化し、修飾部位のテスト・データセットを作成すること、および
ｉｖ．  任意にテスト・データベースへテスト・データセットをコンパイルすること、
（ｂ）  テスト・データセットを請求項１から９のいずれか１項記載の方法により作成された修飾部位のデータセットと比較すること、またはテスト・データベースを請求項１０または１１記載の方法によって作成されたデータベースと比較すること、
（ｃ）  テスト・データセットまたはテスト・データベースと、対照データセットまたは対照データベースとの間の有意差を見つけること、
（ｄ）  工程（ｃ）で見つけられたデータセットまたはデータベースの間の相違が有意である場合、その病気を持っていると診断すること。
【請求項１３】
前記病気は癌であることを特徴とする請求項１２の方法。
【請求項１４】
請求項１から９のいずれか１項記載の方法により修飾部位のデータセットを作成すること、または請求項１０または１１記載の方法によってデータベースを作成することを含み、単一のグループ中の修飾部位がタンパク質修飾酵素の活性のための１つ以上のバイオマーカーとして同定される、タンパク質修飾酵素の活性のための１つ以上のバイオマーカーを同定する方法。
【請求項１５】
検体がタンパク質修飾酵素のモジュレーターであることを決定する生体外の方法であって、試験サンプルを試験物質で処理すること、試験サンプル中の修飾ペプチド上の修飾部位を同定および／または定量すること、および試験サンプル中で同定および／または定量された修飾部位から修飾部位のテスト・データセットを作成することを含む方法であって、さらに以下を含む方法：
（ａ）  テスト・データセットを請求項１から９のいずれか１項記載の方法によって作られた修飾部位のデータセットと比較すること、および／または
（ｂ）  テスト・データベースへ前記テスト・データセットをコンパイルし、テスト・データベースを請求項１０または１１記載の方法によって作成されたデータベースと比較すること。
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
ヒト対象において膀胱癌を同定するための方法であって、
（ａ）前記対象から採取された尿試料からのＤＮＡを少なくとも１つのメチル化感受性制限エンドヌクレアーゼによる消化に適用して、制限エンドヌクレアーゼ処理ＤＮＡを得るステップ、
（ｂ）前記制限エンドヌクレアーゼ処理ＤＮＡから、配列番号１〜１５に記載される遺伝子座のうちの１つ以上を含む少なくとも１つの制限遺伝子座と制御遺伝子座とを同時に増幅し、それによって各遺伝子座の増幅産物を生成するステップ、
（ｃ）前記少なくとも１つの制限遺伝子座と制御遺伝子座のそれぞれの増幅産物のシグナル強度間の比率を算出するステップ、および
（ｄ）前記比率を、既知の供給源に由来する複数のＤＮＡ試料から得られた１つ以上の基準比率と比較し、それによって前記ヒト対象において膀胱癌を同定するステップ、
を含む、方法。
【請求項２】
前記１つ以上の基準比率は、健康な基準比率を含む、請求項１に記載の方法。
【請求項３】
前記１つ以上の基準比率は、膀胱癌基準比率を含む、請求項１に記載の方法。
【請求項４】
ステップ（ｂ）において、配列番号１に記載される制限遺伝子座と、制御遺伝子座と、任意選択で少なくとも１つの追加の制限遺伝子座と、を増幅することを含む、請求項１に記載の方法。
【請求項５】
前記少なくとも１つの追加の制限遺伝子座が、配列番号５に記載される遺伝子座を含む、請求項４に記載の方法。
【請求項６】
前記少なくとも１つの追加の制限遺伝子座が、配列番号７に記載される遺伝子座と配列番号１１に記載される遺伝子座とをさらに含む、請求項５に記載の方法。
【請求項７】
前記少なくとも１つの追加の制限遺伝子座が、配列番号２、配列番号３、配列番号４、配列番号６、配列番号８、配列番号９、配列番号１０、配列番号１２、配列番号１３、配列番号１４および配列番号１５に記載される遺伝子座の群から選択される少なくとも１つの制限遺伝子座をさらに含む、請求項６に記載の方法。
【請求項８】
前記少なくとも１つの追加の制限遺伝子座が、配列番号２、配列番号３、配列番号４、配列番号６、配列番号８、配列番号９、配列番号１０、配列番号１２、配列番号１３、配列番号１４および配列番号１５に記載される遺伝子座を含む、請求項６に記載の方法。
【請求項９】
非ヒトＤＮＡ配列を含む第１および第２の対照コンストラクトを提供するステップであって、前記第１の対照コンストラクトが、前記メチル化感受性制限エンドヌクレアーゼの認識配列を欠いたＤＮＡ配列を含み、前記第２の対照コンストラクトが、前記メチル化感受性制限エンドヌクレアーゼの認識配列を含有するＤＮＡ配列であって完全に非メチル化状態であるＤＮＡ配列を含む、ステップ、
前記第１および第２の対照コンストラクトを前記メチル化感受性制限エンドヌクレアーゼで消化するステップ、および
前記第１および第２の対照コンストラクトを増幅するステップ、
をさらに含み、前記第１のコンストラクトの適切な増幅と前記第２のコンストラクトの低増幅または増幅の非存在との同時の検出は、ＤＮＡ消化が適切であることを示す、請求項１に記載の方法。
【請求項１０】
ステップ（ａ）が、１つのメチル化感受性制限エンドヌクレアーゼを用いて行われ、好ましくは、
前記メチル化感受性制限エンドヌクレアーゼはＨｈａＩである、または
前記メチル化感受性制限エンドヌクレアーゼはＨｉｎＰ１Ｉである、
請求項１に記載の方法。
【請求項１１】
前記制御遺伝子座が、前記メチル化感受性制限エンドヌクレアーゼの認識配列を欠いた遺伝子座であり、好ましくは前記制御遺伝子座が、配列番号１６に記載される遺伝子座である、請求項１に記載の方法。
【請求項１２】
ステップ（ｂ）が、リアルタイムＰＣＲを用いて行われる、請求項１に記載の方法。
【請求項１３】
前記少なくとも１つの制限遺伝子座および制御遺伝子座の増幅産物を特異的に検出するために蛍光プローブを加えることをさらに含む、請求項１２に記載の方法。
【請求項１４】
前記少なくとも１つの制限遺伝子座と制御遺伝子座のそれぞれの増幅産物のシグナル強度間の比率を算出するステップが、各遺伝子座についての定量化サイクル（Ｃｑ）を決定することと２（Ｃｑ制御遺伝子座−Ｃｑ制限遺伝子座）を算出することとを含み、対応する膀胱癌基準比率が２（Ｃｑ制御遺伝子座−Ｃｑ制限遺伝子座）であり、基準ＤＮＡが膀胱癌ＤＮＡである、請求項１３に記載の方法。
【請求項１５】
前記膀胱癌が、移行上皮癌、扁平上皮癌、腺癌、肉腫および小細胞癌からなる群から選択されるか、または前記膀胱癌が移行上皮癌である、請求項１に記載の方法。
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
植物の成長を促進するための灌水デバイスであって、該デバイスは：
通気性かつ浸透性がある熱融着性材料の第１のシートおよび通気性かつ浸透性がある熱融着性材料の第２のシートからなるマットであって、第１のシートおよび第２のシートは互いに取り付けられており、マットは植物が伸びる開口部を有する、マット；および、
熱融着性材料の第１のシートおよび第２のシートの間のマット内に配置された点滴チューブ、を含み、点滴チューブは、水供給源に接続可能な開放端部、および、水が点滴チューブを抜けてマットの下面を通って出ることを可能にする、マット内の、点滴チューブの長さに沿った一連のアパーチャを有し；
マット内の点滴チューブは、間隔を空けたほぼ同心的またはらせん状の構成を持つ閉ループであり；および
熱融着性材料の第１のシートおよび第２のシートは、熱融着性材料の第１のシートおよび第２のシートに対して適所に点滴チューブを保持するように、周縁部に隣接し且つ点滴チューブに隣接して、互いに対して熱融着で付けられる、ことを特徴とする、灌水デバイス。
【請求項２】
熱可溶性材料の第１のシートおよび第２のシートの少なくとも１つは、そこを通って根または植物が成長するのを阻害する、ことを特徴とする、請求項１に記載の灌水デバイス。
【請求項３】
関連する植物の根に向かって、地面へと水を注ぐために、マットを通って伸びる、またはマットに関連付けられる支柱を含むことを特徴とする、請求項１に記載の灌水デバイス。
【請求項４】
支柱は中空であり、かつ、点滴チューブから水を受け入れるための入口および水出口を有することを特徴とする、請求項３に記載の灌水デバイス。
【請求項５】
支柱は、その長さに沿って水を下方に注ぐチャネルを含むことを特徴とする、請求項３に記載の灌水デバイス。
【請求項６】
すでに存在する植物の周囲にマットを配置することを容易にするために、マットにおいて形成されるスリットを含むことを特徴とする、請求項１に記載の灌水デバイス。
【請求項７】
マットと実質的に同じ構成を有し、かつ、マットの上で使い捨て可能である人工芝を含むことを特徴とする、請求項１に記載の灌水デバイス。
【請求項８】
点滴チューブが接続される、実質的に剛性の支持体を含むことを特徴とする、請求項１に記載の灌水デバイス。
【請求項９】
支持体は、点滴チューブを中で受け取るように構成され、その長さに沿って形成された複数の水出口アパーチャを有する、開放面チャネルを画定することを特徴とする、請求項８に記載の灌水デバイス。
【請求項１０】
水を噴霧または点滴するために、点滴チューブに動作可能に接続される水エミッタノズルを含むことを特徴とする、請求項１に記載の灌水デバイス。
【請求項１１】
水供給源は、点滴チューブの開放端部が動作可能に接続される、造園用縁の上部チューブを含むことを特徴とする、請求項１に記載の灌水デバイス。
【請求項１２】
植物の成長を促進するための灌水デバイスであって、該デバイスは：
マットであって、通気性および透水性でありかつマットの上面を画定する熱融着性材料の第１のシート、熱融着性材料の第１のシートに取り付けられかつマットの下面を画定する熱融着性材料の第２のシートを含み、熱融着性材料の第２のシートは通気性および透水性であり、熱融着性材料の第１のシートおよび第２のシートの少なくとも１つは、その中を通って根または植物が成長するのを阻害する、マット；
植物が伸びるマットを通る開口部；
植物の周囲にマットを配置することを容易にするために、開口部と外側周縁部との間に形成されるスリット；および
熱融着性材料の第１のシートおよび第２のシートの間のマット内に配置される点滴チューブであって、点滴チューブは、水供給源に接続可能な開放端部、および、マットの下に灌水するために、水が点滴チューブを抜けて熱融着性材料の下部シートへと出ることを可能にするマット内に、その長さに沿って離間している出口を有する一連の水エミッタを有する、点滴チューブ、を含み、
マット内の点滴チューブは、間隔を空けたほぼ同心的またはらせん状の構成を持つ閉ループであり；および
熱融着性材料の第１のシートおよび第２のシートは、熱融着性材料の第１のシートおよび第２のシートに対して適所に点滴チューブを保持するように、周縁部に隣接し且つ点滴チューブに隣接して、互いに対して熱融着で付けられる、ことを特徴とする、灌水デバイス。
【請求項１３】
関連する植物の根に向かって、地面へと水を注ぐために、マットを通って伸びる、またはマットに関連付けられる支柱を含むことを特徴とする、請求項１２に記載の灌水デバイス。
【請求項１４】
支柱は中空であり、かつ、点滴チューブから水を受け入れるための入口および水出口を有することを特徴とする、請求項１３に記載の灌水デバイス。
【請求項１５】
支柱は、その長さに沿って水を下方に注ぐチャネルを含むことを特徴とする請求項１３に記載の灌水デバイス。
【請求項１６】
マットと実質的に同じ構成を有し、かつ、マットの上で使い捨て可能である人工芝を含むことを特徴とする、請求項１２に記載の灌水デバイス。
【請求項１７】
マット内に配置される開放面チャネルを画定し、かつ、その中に点滴チューブを受け入れるように構成される、実質的に剛性の支持体であって、該支持体はその長さに沿って形成された複数の水出口アパーチャを有する、実質的に剛性の支持体を含むことを特徴とする、請求項１２に記載の灌水デバイス。
【請求項１８】
水を噴霧するために、点滴チューブに動作可能に接続されるウォータースプレーエミッタノズルを含むことを特徴とする、請求項１２に記載の灌水デバイス。
【請求項１９】
水供給源は、点滴チューブの開放端部が動作可能に接続される、造園用縁の上部チューブを含むことを特徴とする、請求項１２に記載の灌水デバイス。
【請求項２０】
マットは、マットの水保持を増大させるためにポリマーを含むことを特徴とする、請求項１に記載の灌水デバイス。
【請求項２１】
マットは、マットの水保持を増大させるためにポリマーを含むことを特徴とする、請求項１２に記載の灌水デバイス。
【請求項２２】
支柱は、地面の中に支柱を保持するための上方に向けられた刺を有することを特徴とする請求項３に記載の灌水デバイス。
【請求項２３】
支柱は、地面の中に支柱を保持するための上方に向けられた刺を有することを特徴とする請求項１３に記載の灌水デバイス。
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
混合DNA分子の試料からの1つ又はそれ以上の標的DNA分子を富化するためのin vitro方法であって、
a) 1つ又はそれ以上の標的特異的DNA分子を含む混合DNA分子の液体試料及び少なくとも1つの前記標的DNA分子(501)の特異的検出用試薬を提供し、
b) 前記液体試料(502)からの複数の液滴の形成し、
c) 少なくとも1つの前記標的DNA分子(504)を含む液滴の特異的検出、ここで、各液滴は、平均して1つ又はそれ以上の前記標的DNA分子(504)の1つの0.5未満、好ましくは0.25未満又はより好ましくは0.1未満を含み、及び
d) 少なくとも1つの前記標的DNA分子(505)を含む液滴を物理的に選択し、
e) 工程d)から合体し選択された液滴におけるDNA分子の一般的な増幅、ここで、前記DNA分子は総量が300fg未満であり、一般的な増幅反応混合物(507)を形成するために一般的な増幅試薬を、合体し選択された液滴に加え、及び各反応混合物(508)5μl当たり少なくとも1.2x106から最大1.2x109の液滴が形成される、工程を含む方法。
【請求項２】
混合DNA分子の試料からの1つ又はそれ以上の標的DNA分子を富化するためのin vitro方法であって、
a) 1つ又はそれ以上の標的特異的DNA分子を含む混合DNA分子の液体試料及び少なくとも1つの前記標的DNA分子(501)の特異的検出用試薬を提供し、
b) 前記液体試料(502)からの混合DNA分子をそれぞれ含む複数の液滴の形成し、
c) 少なくとも1つの前記標的DNA分子(504)を含む液滴の特異的検出、ここで、各液滴は、平均して1つ又はそれ以上の前記標的DNA分子(504)の1つの0.5未満、好ましくは0.25未満又はより好ましくは0.1未満を含み、及び
d) 少なくとも1つの前記標的DNA分子(505)を含む液滴を物理的に選択し、ここで、
工程（a）における混合DNA分子の試料におけるその頻度と比較した標的DNA分子の頻度は、0.01x（DNA分子を含む液滴の総数）x（標的DNAを有する液滴の数）-1と100x（DNA分子を含む液滴の総数）x（標的DNAを有する液滴の数）-1との間で増加し、
e) 工程d)から合体し選択された液滴における混合DNA分子の一般的な増幅、ここで、混合DNA分子は総量が300fg未満であり、一般的な増幅反応混合物(507)を形成するために一般的な増幅試薬を、合体し選択された液滴に加え、及び各反応混合物(508)5μl当たり少なくとも1.2x106から最大1.2x109の液滴が形成される、工程を含む方法。
【請求項３】
工程b）における液滴の総数が少なくとも5×105である、請求項1又は2に記載の方法。
【請求項４】
前記試薬がPCR試薬(501)であり、1つ又はそれ以上の前記標的DNA分子の特異的検出が、PCR(504)によって行われる、請求項1又は2に記載の方法。
【請求項５】
前記標的DNA分子が、1つ又はそれ以上の少なくとも40ヌクレオチドの特有な連続配列を含む、請求項1〜4の何れか1項に記載の方法。
【請求項６】
工程(e)におけるDNAの一般的な増幅が、多置換増幅によって行われる、請求項1〜5の何れか1項に記載の方法。
【請求項７】
特異的検出のための前記試薬が、dUTPを含む、請求項1〜6の何れか1項に記載の方法。
【請求項８】
工程(d)が、1つ又はそれ以上の前記標的DNA分子の特異的検出のために産生されたDNA分子を不活性化、分解又は除去する工程をさらに含む、請求項7に記載の方法。
【請求項９】
前記不活性化の工程が、ウラシル-DNA N-グリコシラーゼを用いて行われる、請求項8に記載の方法。
【請求項１０】
工程(a)〜(e)の反復工程（f）をさらに含み、ここで、前記反復工程(a)の液体試料中のDNA分子が、工程(e)で選択された合体液滴中のDNA分子から生成された一般的な増幅産物に由来する、請求項1〜9の何れか1項に記載の方法。
【請求項１１】
工程b)において形成された各液滴が、2〜20μmの平均直径を有する、請求項1〜10の何れか1項に記載の方法。
【請求項１２】
工程b)で形成された液滴が、液滴当たり平均して少なくとも10-7の標的DNA分子、好ましくは液滴当たり少なくとも10-6の標的DNA分子、又はさらに好ましくは液滴当たり10-4〜10-5の標的分子を含む、請求項1〜11の何れか1項に記載の方法。
【請求項１３】
工程a)の1つ又はそれ以上の前記標的DNA分子のそれぞれが、1,000〜108の核酸塩基対、好ましくは2,000〜200,000の核酸塩基対、より好ましくは10,000〜100,000の核酸塩基対を含む、請求項1〜12の何れか1項に記載の方法。
【請求項１４】
工程e)において生成される一般的な増幅産物が、より増幅された標的DNA分子の1つを含み、増幅された標的DNA分子のそれぞれは、500〜150,000核酸塩基対、好ましくは2,000〜80,000核酸塩基対、より好ましくは5,000〜50,000核酸塩基対を含む、請求項1〜13の何れか1項に記載の方法。
【請求項１５】
前記標的DNA分子が、細胞のゲノムに由来する、請求項1〜14の何れか1項に記載の方法。